(57)【要約】【課題】ユーザにより設定が変更された場合にも、省エネを実現することができる設備機器制御システムを提供することにある。【解決手段】本発明に係る設備機器制御システム１００は、遠隔に配置された設備機器１０を制御するための設備機器制御システムであって、制御装置２０と、遠隔管理装置３０とを備える。制御装置は、変更検出部２４ｃを有する。変更検出部は、スケジュール制御を非スケジュール制御に変更することになる設備機器の設定の変更の入力を検出する。遠隔管理装置は、復帰ルール送信部３５ｂを有する。復帰ルール送信部は、設備機器の制御を非スケジュール制御から前記スケジュール制御に復帰させるための復帰ルールを制御装置に送信する。また、制御装置は、復帰ルール取得部２４ｄと、復帰判断部２４ｆとをさらに有する。復帰ルール取得部は、復帰ルールを取得する。復帰判断部は、復帰ルールに基づいて非スケジュール制御をスケジュール制御に復帰させるか否かを判断する。【選択図】図９
2010157942.tif 000002
【特許請求の範囲】
【請求項１】
遠隔に配置された設備機器（１０，１０，１０）を制御するための設備機器制御システム（１００）であって、
前記設備機器に接続され、前記設備機器のスケジュール情報に基づいた制御であるスケジュール制御を行う制御装置（２０，２０，２０）と、
前記設備機器の遠隔に配置され、前記スケジュール情報を前記制御装置に送り、前記設備機器の運転状況を管理する遠隔管理装置（３０）と、
を備え、
前記制御装置は、
前記スケジュール制御を前記スケジュール情報に基づかない制御である非スケジュール制御に変更することになる設備機器の設定の変更の入力を検出する変更検出部（２４ｃ）
を有し、
前記遠隔管理装置は、
前記非スケジュール制御を前記スケジュール制御に復帰させるか否かの条件である復帰条件を規定する復帰ルール、を前記制御装置に送信する復帰ルール送信部（３５ｂ）
を有し、
前記制御装置は、
前記復帰ルールを取得する復帰ルール取得部（２４ｅ）と、
前記復帰ルールに基づいて前記非スケジュール制御を前記スケジュール制御に復帰させるか否かを判断する復帰判断部（２４ｆ）と
をさらに有する、
設備機器制御システム。
【請求項２】
前記遠隔管理装置は、
前記復帰ルールを採用するか否かの条件である採用条件を規定する採用ルール、を前記制御装置に送信する採用ルール送信部（３５ｃ）
をさらに有し、
前記制御装置は、
前記採用ルールを取得する採用ルール取得部（２４ｅ）
をさらに有し、
前記復帰判断部は、前記採用ルールに基づき、前記復帰ルールを採用するか否かを判断する、
請求項１に記載の設備機器制御システム。
【請求項３】
前記採用条件は、前記復帰ルールを採用するタイミングおよび／または採用しないタイミングを含む、
請求項２に記載の設備機器制御システム。
【請求項４】
前記復帰ルールを採用するタイミングおよび／または採用しないタイミングは、所定の時間帯に含まれる、
請求項３に記載の設備機器制御システム。
【請求項５】
前記復帰ルールは、前記非スケジュール制御から前記スケジュール制御に復帰させるタイミングをさらに規定する、
請求項４に記載の設備機器制御システム。
【発明の詳細な説明】
【技術分野】
【０００１】
本発明は、設備機器制御システムに関する。
【背景技術】
【０００２】
近年、温暖化ガス削減の要請により、オフィスビルやテナントビル等における設備機器についても省エネ制御が求められている。オフィスビルやテナントビル等では、例えば、各空間の空調環境を効果的に調整するために設備機器として、複数の空調機が用いられている。また、各空調機にスケジュールを設定し、複数の空調機を効率よく制御する技術も提案されている（例えば、特許文献１参照）。したがって、設備機器に設定するスケジュールを省エネスケジュールにすることにより、ビル全体として省エネ効果を実現することが期待される。
【特許文献１】特開２０００−１３２５８９号公報
【発明の開示】
【発明が解決しようとする課題】
【０００３】
一方、設備機器に省エネ制御を実行させるために適当なスケジュールを設定していても、ユーザが一時的に設定の変更を所望し、リモコン等を用いて設定の変更を行う場合がある。このように、ユーザにより設備機器の設定の変更が行われると、当該設定の変更を反映させて設備機器が制御されるために、予め設定されたスケジュールに基づくスケジュール制御が停止されてしまう。これにより、期待した通りの省エネ効果を得ることが困難となる場合がある。
【０００４】
本発明の課題は、ユーザにより設定の変更が行われた場合にも、省エネ効果を実現することができる設備機器制御システムを提供することである。
【課題を解決するための手段】
【０００５】
第１発明に係る設備機器制御システムは、遠隔に配置された設備機器を制御するための設備機器制御システムであって、制御装置と、遠隔管理装置とを備える。制御装置は、設備機器に接続され、設備機器のスケジュール制御を行う。スケジュール制御はスケジュール情報に基づいた、設備機器の制御である。遠隔管理装置は、設備機器の遠隔に配置される。また、遠隔管理装置は、スケジュール情報を制御装置に送り、設備機器の運転状況を管理する。さらに、制御装置は、変更検出部を有する。変更検出部は、設備機器の設定の変更の入力を検出する。設備機器の設定の変更は、スケジュール制御を非スケジュール制御に変更する。非スケジュール制御は、スケジュール情報に基づかない、設備機器の制御である。遠隔管理装置は、復帰ルール送信部を有する。復帰ルール送信部は、復帰ルールを制御装置に送信する。復帰ルールは、復帰条件を規定する。復帰条件は、非スケジュール制御をスケジュール制御に復帰させるか否かの条件である。また、制御装置は、復帰ルール取得部と、復帰判断部とをさらに有する。復帰ルール取得部は、復帰ルールを取得する。復帰判断部は、復帰ルールに基づいて非スケジュール制御をスケジュール制御に復帰させるか否かを判断する。
【０００６】
本発明に係る設備機器制御システムでは、制御装置は、設備機器のスケジュール制御を行う。スケジュール制御では、スケジュール情報に基づいて設備機器が制御される。スケジュール情報は遠隔管理装置から制御装置に送られる。設備機器のスケジュール制御が行われている際に、設定の変更が入力されると、設備機器の制御がスケジュール制御から非スケジュール制御に切り替わる。非スケジュール制御では、スケジュール情報に関係なく設備機器が制御される。遠隔管理装置は、設備機器の制御を非スケジュール制御からスケジュール制御に復帰させるための復帰ルールを制御装置に送信する。制御装置は、遠隔管理装置から送信される復帰ルールに基づいて、設備機器の制御を非スケジュール制御からスケジュール制御に復帰させるか否かを判断する。
【０００７】
これにより、適宜スケジュール情報に基づいた制御が行われるため、省エネを実現することができる。
【０００８】
第２発明に係る設備機器制御システムは、第１発明に係る設備機器制御システムであって、遠隔管理装置は、採用ルール送信部をさらに有する。採用ルール送信部は、採用ルールを制御装置に送信する。採用ルールは、採用条件を規定する。採用条件は、復帰ルールを採用するか否かの条件である。制御装置は、採用ルール取得部をさらに有する。採用ルール取得部は、採用ルールを取得する。また、復帰判断部は、採用ルールに基づき、復帰ルールを採用するか否かを判断する。
【０００９】
本発明に係る設備機器制御システムでは、制御装置は、復帰ルールおよび採用ルールを遠隔管理装置から取得する。また、制御装置は、採用ルールに基づいて復帰ルールを採用するか否かを判断する。
【００１０】
これにより、非スケジュール制御とスケジュール制御との優先順位を適宜切り替えることができる。
【００１１】
第３発明に係る設備機器制御システムは、第２発明に係る設備機器制御システムであって、採用条件は、復帰ルールを採用するタイミングおよび／または採用しないタイミングを含む。
【００１２】
本発明に係る設備機器制御システムでは、採用条件には、復帰ルールを採用するタイミングおよび／または採用しないタイミングが含まれる。
【００１３】
これにより、適宜、設定の変更に係る制御を継続させることができる。
【００１４】
第４発明に係る設備機器制御システムは、第３発明に係る設備機器制御システムであって、復帰ルールを採用するタイミングおよび／または採用しないタイミングは、所定の時間帯に含まれる。
【００１５】
本発明に係る設備機器制御システムでは、所定の時間帯に含まれるタイミングで復帰ルールが採用される。
【００１６】
これにより、所定の時間帯には、空調機の非スケジュール制御をスケジュール制御に優先させることができる。
【００１７】
第５発明に係る設備機器制御システムは、第４発明に係る設備機器制御システムであって、復帰ルールは、非スケジュール制御からスケジュール制御に復帰させるタイミングをさらに規定する。
【００１８】
本発明に係る設備機器制御システムでは、非スケジュール制御からスケジュール制御に復帰させるタイミングがさらに規定されている。復帰ルールが採用される場合には、当該時間間隔に基づいて非スケジュール制御からスケジュール制御へと復帰する。
【００１９】
これにより、設定の変更を反映した空調環境を一定時間提供しながら、スケジュール制御を行うことができる。
【発明の効果】
【００２０】
第１発明に係る設備機器制御システムでは、適宜スケジュール情報に基づいた制御が行われるため、省エネを実現することができる。
【００２１】
第２発明に係る設備機器制御システムでは、非スケジュール制御とスケジュール制御との優先順位を適宜切り替えることができる。
【００２２】
第３発明に係る設備機器制御システムでは、適宜、設定の変更に係る制御を継続させることができる。
【００２３】
第４発明に係る設備機器制御システムでは、設定の変更の内容が省エネ制御に反しない場合は、非スケジュール制御を維持させることができる。
【００２４】
第５発明に係る設備機器制御システムでは、設定の変更を反映した空調環境を一定時間提供しながら、スケジュール制御を行うことができる。
【発明を実施するための最良の形態】
【００２５】
以下、図面を参照して、本発明の一実施形態に係る空調機制御システム（設備機器制御システム）１００について説明する。
【００２６】
＜全体構成＞
図１に、空調機制御システム１００の全体構成を示す。空調機制御システム１００は、店舗Ａ，Ｂ，Ｃの遠隔に配置された遠隔管理センターに設置されている遠隔管理サーバ（遠隔管理装置）３０から各店舗Ａ，Ｂ，Ｃに設置された空調機１０，１０，１０を管理するシステムである。空調機１０，１０，１０にはアダプタ２０，２０，２０が接続されている。空調機１０，１０，１０はアダプタ２０，２０，２０から送られる制御指令と、リモコン１２を介して送られる制御指令とに従って動作する。アダプタ２０，２０，２０と遠隔管理サーバ３０とは、インターネット４０を介して相互に通信可能に接続されている。
【００２７】
なお、図１には三つの店舗Ａ，Ｂ，Ｃと、各店舗Ａ，Ｂ，Ｃに一台ずつ設置された空調機１０，１０，１０とが示されているが、店舗の数および店舗内に設置される空調機の数はこれらに限られるものではない。空調機制御システム１００では、多数の店舗にそれぞれ設置される複数の空調機１０，１０，１０，・・・を管理することができる。
【００２８】
＜各部の構成＞
以下、主として、店舗Ａに設置された空調機１０とアダプタ２０とを用いて各部の構成を説明するが、他の店舗Ｂ，Ｃに設置された空調機１０，１０およびアダプタ２０，２０についても同様の構成であるものとする。
【００２９】
（１）空調機
空調機１０は、室外機と、当該室外機に冷媒配管を介して接続される１または複数の室内機とを有している。空調機１０は、全体として、図示されない圧縮機や熱交換器等から構成される冷媒回路を有する１の系統を形成している。室内機のケーシング内の所定の位置には、後述するアダプタ２０が取り外し可能な態様で取り付けられている。
【００３０】
空調機１０には、室温センサ１１ａ、外気温センサ１１ｂ、吐出温度センサ１１ｃ、吐出圧センサ１１ｄ、吸入圧センサ１１ｅなどの各種センサが取り付けられている。室温センサ１１ａは、空調機１０に含まれる親機となる室内機が設置されている部屋の温度を検出する。外気温センサ１１ｂは、空調機１０に含まれる室外機の設置されている店舗Ａ付近の外気の温度を検出する。吐出温度センサ１１ｃは、空調機１０に含まれる圧縮機（図示されない）の吐出管における冷媒の温度を検出する。吐出圧センサ１１ｄは、空調機１０に含まれる圧縮機（図示されない）の吐出管における冷媒の圧力を検出する。吸入圧センサ１１ｅは、空調機１０に含まれる圧縮機（図示されない）の吸入管における冷媒の圧力を検出する。
【００３１】
空調機１０は、制御部１３を有している。制御部１３は、後述するアダプタ２０により送られる制御指令およびリモコン１２を介してユーザから入力された制御指令に従って、冷媒回路に含まれる圧縮機等の被制御部品の動作を制御する。アダプタ２０から送られる制御指令とは、具体的に、アダプタ２０が後述する遠隔管理サーバ３０から取得したスケジュール情報に基づいた制御指令である。アダプタ２０から送られる制御指令により、制御部１３は、空調機１０のスケジュール制御を実行する。また、リモコン１２を介してユーザから入力された制御指令とは、店舗Ａ内の一般のユーザによってリモコン１２に設定された内容に基づいた制御指令である。ユーザから入力された制御指令により、制御部１３は、空調機１０の非スケジュール制御を実行する。
【００３２】
また、制御部１３は、空調機１０に関する機器データをアダプタ２０に送信する。機器データには、空調機１０の運転状況を示すデータ（運転状況データ）、リモコン１２を介してユーザから入力される空調機１０に対する制御指令に関するデータ（指令データ）、および空調機１０の異常に関するデータ（異常データ）などが含まれる。運転状況データとは、例えば、上述した各種センサ１１ａ，１１ｂ，１１ｃ，１１ｄ，１１ｅ，・・・の検出値である。制御部１３は、所定の時間間隔（本実施形態では１分）で空調機１０の機器データをアダプタ２０に送信する。指令データとは、例えば、電源のＯＮ／ＯＦＦ、運転モード（冷房モード、暖房モード、送風モードなど）、設定温度および設定湿度などである。制御部１３は、リモコン１２を介して制御指令が入力されると、直ちに当該指令データをアダプタ２０に向けて送信する。異常データとは、上述の各種センサ１１ａ，１１ｂ，１１ｃ，１１ｄ，１１ｅ，・・・の検出値が所定の閾値を超えるなどの異常を示すデータである。制御部１３は、所定の時間間隔（本実施形態では１分）で各種センサ１１ａ，１１ｂ，１１ｃ，１１ｄ，１１ｅ，・・・の検出値を所定の閾値と比較し、異常を検出した場合に異常データをアダプタ２０に向けて送信する。
【００３３】
（２）アダプタ
アダプタ２０は、上述したように、室内機のケーシング内の所定の位置に、取り外し可能な態様で取り付けられている。アダプタ２０は、空調機１０から送られる上述の機器データを取得して、当該機器データを遠隔管理サーバ３０に送る。また、アダプタ２０は、遠隔管理サーバ３０から取得したスケジュール情報と、遠隔管理サーバ３０から取得した採用ルールおよび復帰ルールとに基づき、空調機１０のスケジュール制御を行う。
【００３４】
アダプタ２０は、通信部２１と、タイマー２２と、記憶部２３と、制御部２４とを有している。
【００３５】
〔通信部〕
通信部２１は、他の機器と通信を行うための通信用インターフェースである。
【００３６】
〔タイマー〕
タイマー２２は、第１タイマーと第２タイマーとからなる。第１タイマーは後述するスケジュール取得部が遠隔管理サーバ３０からスケジュールをダウンロードした後の時間を計測する。第２タイマーは、運転制御部２４ａが空調機１０のスケジュール制御を非スケジュール制御に切り替えた後の時間を計測する。
【００３７】
〔記憶部〕
記憶部２３は、空調機１０を制御するための制御プログラムを記憶する。また、記憶部２３は、主として、スケジュール記憶領域２３ａと、復帰ルール記憶領域２３ｂと、採用ルール記憶領域２３ｃと、機器データ記憶領域２３ｄとを有する。
【００３８】
ａ）スケジュール記憶領域
スケジュール記憶領域２３ａには、空調機１０を制御するためのスケジュール情報が記憶されている。スケジュール情報とは、空調機１０を省エネ制御するための制御データである。当該スケジュール情報は、後述するスケジュール取得部２４ｂによって、所定の時間毎（本実施形態では、３時間毎）に、遠隔管理サーバ３０から取得される。
【００３９】
スケジュール情報は、曜日、時間帯、および空調機１０の運転パターンの種類を示す情報（図５参照）と、運転パターンの具体的な制御内容に関する情報（図６参照）とを含む。運転パターンとは、運転モード、ＯＮ／ＯＦＦ、風量、および設定温度などの組合せで決定される。なお、スケジュール記憶領域２３ａに記憶されるスケジュール情報は、２４時間分のスケジュール情報である。
【００４０】
なお、スケジュール記憶領域２３ａは、２４時間分のスケジュールを記憶するのに十分な容量のみを有する。したがって、スケジュール記憶領域２３ａに記憶された２４時間分のスケジュール情報は、後述するスケジュール取得部２４ｂによって新たなスケジュール情報が取得されるたびに、当該新たなスケジュール情報によって上書きされていく。
【００４１】
当該スケジュール情報に基づいて空調機１０が制御されることにより、すなわち、アダプタ２０から空調機１０に向けて当該スケジュール情報に基づいた制御指令が送られることにより、空調機１０のスケジュール制御（省エネ制御）が行われることになる。
【００４２】
ｂ）復帰ルール記憶領域
復帰ルール記憶領域２３ｂには、空調機１０の制御を、非スケジュール制御からスケジュール制御に復帰させるか否かを判断するための復帰ルールが記憶されている。復帰ルールは、後述する復帰ルール取得部２４ｄによって、所定の時間毎（本実施形態では、四半期毎）に、遠隔管理サーバ３０の復帰ルール記憶領域３４ｂから取得される。復帰ルールは、図７に示すように、設定温度および指定温度の大小関係と、運転モードとに基づいた復帰条件を規定する。設定温度とは、ユーザがリモコン１２を介して設定した温度である。指定温度とは、省エネ制御を考慮して予め定められた温度である。なお、指定温度は、非スケジュール制御に変更される前のスケジュール制御で設定されていた温度と同一温度であっても、スケジュール制御で設定されていた温度とは異なる温度であってもよい。
【００４３】
また、復帰ルール記憶領域２３ｂは、所定の数の復帰ルールを記憶できる程度の容量のみを有する。したがって、復帰ルール記憶領域２３ｂに記憶された復帰ルールは、新たな復帰ルールが取得されるたびに、当該新たな復帰ルールによって上書きされていく。
【００４４】
ｃ）採用ルール記憶領域
採用ルール記憶領域２３ｃには、上述の復帰ルールを採用するか否かを判断するために用いる採用ルールが記憶されている。採用ルールは、復帰ルールを採用するか否かの条件である採用条件を規定する。具体的に、採用ルールは、図８に示すように、時間と、当該時間帯におけるスケジュール制御への復帰の有効／無効を規定する。
【００４５】
例えば、図８の採用ルールは、１０：００〜１５：００の間はスケジュール制御への復帰は有効であり、１５：００〜１７：００の間はスケジュール制御への復帰は無効である旨を規定する。すなわち、１０：００〜１５：００の間は、復帰ルールに基づいた判断は有効であり、１５：００〜１７：００の間は、復帰ルールに基づいた判断は無効である。したがって、１０：００〜１５：００の間に設定の変更があった場合には、復帰ルールに基づき非スケジュール制御からスケジュール制御への復帰の要否が判断されるが、１５：００〜１７：００の間に設定の変更があった場合には、復帰の要否が判断されない。
【００４６】
採用ルールは、後述の採用ルール取得部２４ｅによって、所定の時間毎（本実施形態では、３時間毎）に、遠隔管理サーバ３０から取得される。より具体的には、採用ルールは、上述のスケジュール情報が取得されるタイミングと同じタイミングで遠隔管理サーバ３０から取得される。採用ルール記憶領域２３ｃもまた、所定の数の採用ルールを記憶できる程度の容量のみを有する。したがって、採用ルール記憶領域２３ｃに記憶された採用ルールは、新たな採用ルールが取得されるたびに、当該新たな採用ルールによって上書きされていく。
【００４７】
ｄ）機器データ記憶領域
機器データ記憶領域２３ｄは、空調機１０から送られてくる機器データが記憶されている。機器データには、上述したように、空調機１０の運転状況を示すデータ（運転状況データ）、リモコン１２を介して入力される空調機１０に対する制御指令に関するデータ（指令データ）、および空調機１０の異常に関するデータ（異常データ）が含まれる。
【００４８】
さらに、機器データ記憶領域２３ｄには、機器データ記憶領域２３ｄに記憶された機器データに基づいて作成される日報データが記憶される。日報データは、機器データ記憶領域２３ｄの一日分の機器データであり、一日一回遠隔管理サーバ３０に送られる。日報データは、一日分の空調機１０の運転状況や運転履歴をまとめたデータであり、具体的には、その１日の各種センサ１１ａ，１１ｂ，１１ｃ，１１ｄ，１１ｅ，・・・の検出値の最大値・最小値や、その１日の空調機１０の累積稼働時間などを含む。
【００４９】
機器データ記憶領域２３ｄも、一日分の機器データおよび作成中の日報データを記憶できる程度の容量のみを有している。したがって、先に記憶されている機器データは、新たに取得される機器データによって上書きされていく。
【００５０】
〔制御部〕
制御部２４は、主として、運転制御部２４ａと、スケジュール取得部２４ｂと、変更検出部２４ｃと、復帰ルール取得部２４ｄと、採用ルール取得部２４ｅと、復帰判断部２４ｆと、機器データ送信部２４ｇとを有する。
【００５１】
ａ）運転制御部
運転制御部２４ａは、空調機１０の運転の制御を行う。具体的には、運転制御部２４ａは、スケジュール記憶領域２３ａに記憶されたスケジュール情報に基づいて、空調機１０の制御を行う。より詳細には、運転制御部２４ａは、当該スケジュール情報に基づいて制御指令を生成し、当該制御指令を空調機１０に送る。
【００５２】
また、ユーザのリモコン１２による設定の変更に基づいて空調機１０の制御が行われている場合、すなわち、非スケジュール制御が行われている場合であって、後述する復帰判断部２４ｆがスケジュール制御に復帰させる必要があると判断した場合には、運転制御部２４ａは、再び、スケジュール記憶領域２３ａに記憶されたスケジュール情報に基づいて、制御指令を生成し、当該制御指令を空調機１０に送る。これにより、空調機１０の非スケジュール制御がスケジュール制御に切り替えられる。
【００５３】
ｂ）スケジュール取得部
スケジュール取得部２４ｂは、上記したように、所定の時間毎（本実施形態では３時間毎）に、遠隔管理サーバ３０からスケジュール情報を取得する。スケジュール取得部２４ｂは、３時間毎に遠隔管理サーバ３０のスケジュール記憶領域３４ａから２４時間分のスケジュール情報を取得する。
【００５４】
ｃ）変更検出部
変更検出部２４ｃは、ユーザがリモコン１２を介して入力した設定の変更を検出する。
【００５５】
ｄ）復帰ルール取得部
復帰ルール取得部２４ｄは、所定の時間毎（本実施形態では、四半期毎）に、遠隔管理サーバ３０から復帰ルールを取得する。
【００５６】
ｅ）採用ルール取得部
採用ルール取得部２４ｅは、所定の時間毎（本実施形態では、３時間毎）に、遠隔管理サーバ３０から採用ルールを取得する。
【００５７】
ｆ）復帰判断部
復帰判断部２４ｆは、上述した採用ルール記憶領域２３ｃに記憶された採用ルールおよび復帰ルール記憶領域２３ｂに記憶された復帰ルールに基づいて、非スケジュール制御からスケジュール制御に復帰させる必要があるか否かを判断する。具体的には、復帰判断部２４ｆは、採用ルールに基づいて復帰ルールを採用するか否かを判断し、さらに、復帰ルールを採用すると判断した場合に、復帰ルールに基づいて、非スケジュール制御に係る設定の内容が省エネ制御に反するか否かを判断する。
【００５８】
ｇ）機器データ送信部
機器データ送信部２４ｇは、機器データ記憶領域２３ｄに記憶された機器データのうち、異常データと、日報データとを所定のタイミングで遠隔管理サーバ３０に送信する。異常データは、検知されるとすぐに遠隔管理サーバ３０に送られる。日報データは、一日一回遠隔管理サーバ３０に送られる。
【００５９】
（３）遠隔管理サーバ
遠隔管理サーバ３０は、図４に示すように、通信部３１と、表示部３２と、入力部３３と、記憶部３４と、制御部３５とを有している。
【００６０】
〔通信部〕
通信部３１は、アダプタ２０，２０，２０とインターネット４０を介して接続されている。通信部３１は、アダプタ２０，２０，２０を介して遠隔管理サーバ３０と空調機１０，１０，１０との通信を可能にしている。
【００６１】
〔表示部〕
表示部３２は、アダプタ２０，２０，２０を介して取得された空調機１０，１０，１０の機器データを表示するためのディスプレイである。また、表示部３２には、空調機１０，１０，１０の機器データの他、後述する記憶部３４に記憶された各種データが表示される。
【００６２】
〔入力部〕
入力部３３は、入力部３３は、主としてキーボードおよび操作ボタンから構成されている。
【００６３】
〔記憶部〕
記憶部３４は、空調機１０，１０，１０を遠隔で管理するための管理プログラムを記憶する。また、記憶部３４には、空調機１０，１０，１０に関する各種データが記憶されている。記憶部３４は、主として、スケジュール記憶領域３４ａと、復帰ルール記憶領域３４ｂと、採用ルール記憶領域３４ｃと、機器データ記憶領域３４ｄとを有する。
【００６４】
ａ）スケジュール記憶領域
スケジュール記憶領域３４ａには、空調機１０，１０，１０を省エネ制御するためのスケジュール情報が記憶されている。スケジュール情報は、遠隔管理センターにおける管理者によって快適性と省エネとを考慮して設定される。詳細には、図５に示すように、一週間の各時間帯における運転パターンの種類に関する情報と、図６に示すように、各運転パターンの具体的な制御内容に関する情報とが記憶されている。なお、スケジュール記憶領域３４ａには、空調機１０，１０，１０に含まれる室内機毎のスケジュール情報を記憶させることができる。
【００６５】
ｂ）復帰ルール記憶領域
復帰ルール記憶領域３４ｂには、空調機１０，１０，１０を非スケジュール制御からスケジュール制御に復帰させるか否かを判断するための復帰ルールが記憶されている。復帰ルールは、図７に示すように、設定温度および指定温度の大小関係と、運転モードとに基づいた復帰条件を規定する。復帰ルール記憶領域３４ｂに記憶された復帰ルールは、後述する復帰ルール送信部３５ｂによってアダプタ２０，２０，２０に送られる。
【００６６】
ｃ）採用ルール記憶領域
採用ルール記憶領域３４ｃには、遠隔管理サーバ３０の利用者が入力した採用ルールが記憶されている。採用ルールは、復帰ルールを採用するか否かの条件である採用条件を規定する。具体的に、採用ルールは、時間と、当該時間におけるスケジュール制御への復帰の有効／無効とを規定するものである（図８参照）。すなわち、復帰ルールを採用するタイミングおよび／または採用しないタイミングが規定されている。採用ルール記憶領域３４ｃに記憶された採用ルールは、後述する採用ルール送信部３５ｃによってアダプタ２０，２０，２０に送られる。
【００６７】
ｄ）機器データ記憶領域
機器データ記憶領域３４ｄには、アダプタ２０から送られた空調機１０，１０，１０の機器データが記憶される。また、機器データ記憶領域３４ｄに記憶される機器データは、空調機１０，１０，１０毎に記憶される。
【００６８】
〔制御部〕
制御部３５は、記憶部３４に記憶されている空調機１０，１０，１０の管理プログラムを実行する。制御部３５は、主として、スケジュール送信部３５ａと、復帰ルール送信部３５ｂと、採用ルール送信部３５ｃとを有する。
【００６９】
ａ）スケジュール送信部
スケジュール送信部３５ａは、上述のスケジュール記憶領域３４ａに記憶されたスケジュール情報をアダプタ２０，２０，２０に送る。図５に示すように、スケジュール記憶領域３４ａには、一週間分のスケジュール情報が記憶されているが、スケジュール送信部３５ａは、スケジュール取得部２４ｂがスケジュール情報を要求した時点から２４時間分のスケジュール情報を、アダプタ２０，２０，２０に向けて送る。
【００７０】
ｂ）復帰ルール送信部
復帰ルール送信部３５ｂは、上述の復帰ルール記憶領域３４ｂに記憶された復帰ルールをアダプタ２０，２０，２０に送る。
【００７１】
ｃ）採用ルール送信部
採用ルール送信部３５ｃは、上述の採用ルール記憶領域３４ｃに記憶された採用ルールをアダプタ２０，２０，２０に送る。
【００７２】
（４）空調機制御システムの流れ
以下、図９を用いて、アダプタ２０，２０，２０における処理の流れを説明する。
【００７３】
ステップＳ１０１として、アダプタ２０，２０，２０では、起動時および３時間毎に、スケジュール取得部２４ｂが遠隔管理サーバ３０から２４時間分のスケジュール情報を取得し、採用ルール取得部２４ｅが遠隔管理サーバ３０から採用ルールを取得する。次に、ステップＳ１０２において、第１タイマーが時間の計測を開始する。その後、ステップＳ１０３で、運転制御部２４ａは、当該スケジュール情報に基づき、空調機１０のスケジュール制御を行う。
【００７４】
次に、ステップＳ１０４において、変更検出部２４ｃにより設定の変更が検出されたか否かが判断される。ステップＳ１０４において、設定の変更が検出された場合には、ステップＳ１０５に進む。ステップＳ１０４において、設定の変更が検出されない場合には、ステップＳ１０９に進む。なお、ステップＳ１０４において、設定の変更が検出された場合、すなわち、ユーザにより設定の変更がされた場合に、空調機１０の制御はスケジュール制御から非スケジュール制御に切り替えられる。
【００７５】
ステップＳ１０５では、第２タイマーが非スケジュール制御に切り替えられた後の時間の計測を開始する。次に、ステップＳ１０６において、復帰判断部２４ｆが採用ルールと復帰ルールとに基づいて非スケジュール制御をスケジュール制御に復帰させる必要があるか否かを判断する。詳細には、まず、採用ルールに基づいて、設定の変更が検出されたタイミングにおいて、復帰ルールの有効／無効が判断される。復帰ルールが有効であると判断された場合には、復帰ルールに基づいて、設定の変更に係る非スケジュール制御からスケジュール制御への復帰させる必要があるか否かが判断される。ここで、スケジュール制御に復帰させる必要があると判断された場合には、ステップＳ１０７に進み、必要がないと判断された場合には、ステップＳ１０４に戻る。一方、復帰ルールが無効であると判断された場合には、復帰判断部２４ｆは非スケジュール制御からスケジュール制御への復帰の要否を判断しない。すなわち、非スケジュール制御に係る設定の内容が省エネ制御に反すると判断されるような場合であっても、スケジュール制御への復帰は不要とし、ステップＳ１０４に戻る。
【００７６】
ステップＳ１０７では、第２タイマーで計測した時間が３０分を経過したか否かが判断される。すなわち、非スケジュール制御に切り替えられた後の時間が３０分を経過した場合には、ステップＳ１０８に進み、３０分を経過していない場合には、経過するまで待機する。
【００７７】
ステップＳ１０８では、非スケジュール制御がスケジュール制御に復帰される。すなわち、運転制御部２４ａがスケジュール記憶領域２３ａに記憶されるスケジュール情報に基づいた制御指令を生成し、当該制御指令を空調機１０に送る。これにより、空調機１０の制御が非スケジュール制御からスケジュール制御に切り替えられる。その後、ステップＳ１０９に進み、第１タイマーが計測した時間が３時間を経過したか否かが判断される。すなわち、スケジュール情報がダウンロードされた後の時間が３時間経過したか否かが判断され、経過していない場合にはステップＳ１０４に戻り、経過している場合にはステップＳ１０１に戻る。
【００７８】
＜特徴＞
（１）
上記実施形態における空調機１０，１０，１０は、基本的にはスケジュール制御が行われる。また、リモコン１２を介してユーザにより空調機１０，１０，１０の設定の変更が行われた場合には、空調機１０，１０，１０の制御がスケジュール制御から非スケジュール制御に切り替わり、ユーザが変更した設定の内容に基づいて空調機１０の制御が行われる。当該スケジュール情報は、遠隔管理サーバ３０において、快適性と省エネとを考慮して設定されている。空調機１０，１０，１０の制御は、基本的には、アダプタ２０，２０，２０が遠隔管理サーバ３０から定期的に取得した当該スケジュール情報に基づいて行われるため、空調機１０，１０，１０のスケジュール制御が行われている限りは、空調機１０，１０，１０の省エネを実現することができる。しかし、ユーザがスケジュール情報に設定された内容とは異なる設定を所望し、空調機１０，１０，１０の制御がスケジュール制御から非スケジュール制御に切り替えられると、非スケジュール制御が継続されてしまうことになる。これにより、期待した省エネ効果を十分に得ることができない。一方、リモコン１２の操作を禁止することによりスケジュール制御が非スケジュール制御に切り替えられないようにすることも考えられるが、ユーザのニーズに対応できないことは好ましくない。
【００７９】
本実施形態に係る空調機制御システム１００では、遠隔管理サーバ３０から取得した復帰ルールと採用ルールとがアダプタ２０，２０，２０に記憶されている。また、ユーザによる設定の変更が検出されると、復帰判断部２４ｆは、当該ユーザによる設定の変更に係る非スケジュール制御をスケジュール制御に復帰させる必要があるか否かを判断する。復帰判断部２４ｆの判断結果に基づき、空調機１０，１０，１０の非スケジュール制御がスケジュール制御に切り替えられるため、空調機１０，１０，１０の過剰な冷暖房を抑制した省エネ制御を適宜行うことができる。これにより、ユーザが所望する空調環境を実現するとともに、空調機１０，１０，１０の省エネ制御を実現することができる。
【００８０】
（２）
また、上記実施形態に係る空調機制御システム１００では、アダプタ２０，２０，２０にダウンロードされる採用ルールにおいて、復帰ルールの有効／無効とする時間を規定する。例えば、店舗Ａ，Ｂ，Ｃにおいてリモコン１２を介したユーザからの設定を優先させるべき時間帯、具体的には、店舗内にいる顧客の数が多くなる時やＶＩＰが滞在している時間などの時間帯を、復帰ルールの採用を無効とする時間帯として設定する。非スケジュール制御とスケジュール制御との優先順位を適宜切り替えることができるため、ユーザの所望する空調環境を優先的に確保することができる。
【００８１】
（３）
上記実施形態では、事前に取得したスケジュール情報に基づいて、アダプタ２０，２０，２０が空調機１０，１０，１０のスケジュール制御を行い、復帰ルールと採用ルールとを用いた判断結果に基づいて、非スケジュール制御をスケジュール制御に切り替える。これにより、アダプタ２０，２０，２０と遠隔管理サーバ３０との間の通信量を低減させることができる。また、遠隔管理サーバ３０が行うべき処理量を減らすことができる。
【００８２】
＜変形例＞
（１）
上記実施形態では、復帰ルール取得部２４ｄは、四半期に一回の割合で復帰ルールをダウンロードしたが、復帰ルール取得部２４ｄが復帰ルールをダウンロードする時間間隔はこれに限られない。例えば、昼と夜とで空調機１０，１０，１０の制御を変更する場合に、復帰ルール取得部２４ｄは、昼および夜の制御内容をそれぞれ事前にダウンロードしてもよい。
【００８３】
また、上記実施形態では、非スケジュール制御をスケジュール制御に復帰させるタイミングは、ユーザによる設定の変更があった後、３０分経過後であるものとしたが、当該復帰させるタイミングは、可変であってもよい。
【００８４】
さらに、ユーザによる設定の変更の内容に応じて、当該復帰させるタイミングが変更されてもよい。例えば、アダプタ２０，２０，２０で変更しうる設定の内容（例えば、設定温度の変更、変更された設定温度の程度、運転モードの変更など）にそれぞれ対応度レベルを設定し、当該対応度レベルを遠隔管理サーバ３０に記憶させておく。対応度レベルは、早急にスケジュール制御に復帰させるべき変更の内容、すなわち、省エネ制御に反する程度が大きいものに対して高い対応度レベルが設定される。例えば、「運転モードの変更」より「設定温度の変更」の対応度レベルを高く設定する。また、変更された設定温度の程度は、各運転モードにおける指定温度からの乖離値が大きくなればなるほど、すなわち、省エネ制御に反する程度が大きくなればなる程対応度レベルを高く設定する。そして、設定の変更の内容の対応度レベルが大きい場合は、復帰させるタイミングを早くさせ、対応度レベルが低い場合は、復帰させるタイミングを遅くする。これにより、反省エネ制御の程度に応じて空調機の制御を行うことができる。
【００８５】
（２）
上記実施形態では、スケジュール取得部２４ｂが遠隔管理サーバ３０からスケジュール情報を取得するタイミングで、採用ルール取得部２４ｅが採用ルールを取得するが、採用ルール取得部２４ｅが採用ルールを取得するタイミングは、スケジュール取得部２４ｂがスケジュール情報を取得するタイミングと異なるタイミングであってもよい。
【００８６】
（３）
上記実施形態では、遠隔管理サーバ３０からアダプタ２０，２０，２０に送信されるスケジュール情報は、時間帯および運転パターンの組合せに関する情報と、当該運転パターンの具体的な制御内容に関する情報との両方であったが、スケジュール情報として、具体的な時間と制御内容を示す情報が送信されてもよい。
【００８７】
（４）
上記実施形態では、復帰ルールに規定された指定温度と、変更された設定温度との関係で省エネか否かが判断されたが、復帰ルールに規定する内容はこれに限られない。すなわち、復帰ルールに規定した内容を、指定温度に代えて、もしくは、指定温度に加えて、風量および能力制御値等であり、これらの値と、変更された設定に係るこれらの値との関係で省エネか否かが判断されても構わない。なお、能力制御値は、空調機１０，１０，１０の空調能力（馬力（ｋＷ））を制限する値である。これにより、ユーザによる設定が、例えば、空調機１０，１０，１０の定格能力の７０％を超える能力を必要とする場合に、スケジュール制御に切り替えられるように設定することができる。
【００８８】
また、アダプタ２０，２０，２０で変更しうる設定の内容（例えば、設定温度の変更、変更された設定温度の程度、運転モードの変更など）に省エネの順番を設定しておき、当該順番に基づいて復帰させるか否かが判断されるように設計されてもよい。
【００８９】
また、この省エネの順番は、アダプタ２０，２０，２０内のシステムで予め定義しておいてもよいし、遠隔管理サーバ３０から逐次取得するようにしてもよい。もしくは、省エネの順番を記憶するデータベースをアダプタ２０，２０，２０に確保しておき、図９のステップＳ１０１のタイミングで遠隔管理サーバ３０から定期的にダウンロードし、当該データベース内の情報が上書きされるように設計されていてもよい。
【００９０】
さらに、この省エネの順番は、マップを作成しておき、マップ上の位置で決められてもよいし、マップ内に大小の値を記述しておき、その大小の値で決めてもよいし、システムで予め定義しておいてもよい。
【００９１】
（５）
また、上記実施形態では、採用ルールとして、復帰ルールを採用する時間帯を規定している。採用ルールでは、設定温度を復帰させる時間帯と、当該時間帯における復帰ルールの有効／無効とを規定したが、当該設定温度に代えて、もしくは、設定温度に加えて、能力制御の有効／無効が規定されてもよい。通常、遠隔管理サーバ３０から空調機１０，１０，１０の能力制御を行おうとすると、アダプタ２０，２０，２０と遠隔管理サーバ３０とが頻繁に通信を行い、適宜能力制御のコマンドをアダプタ２０，２０，２０に送る必要が生じる。したがって、上記実施形態における空調機制御システム１００のように、アダプタ２０，２０，２０と遠隔管理サーバ３０とが頻繁に通信を行わない場合には、遠隔管理サーバ３０による空調機１０，１０，１０の能力制御を効果的に行うことは難しい。しかし、アダプタ２０，２０，２０に遠隔管理サーバ３０で設定した能力制御のルールを記憶させておくことで、遠隔管理センターにおける管理者が所望する空調機１０，１０，１０の能力制御を適宜行うことができる。
【００９２】
（６）
上記実施形態において、アダプタ２０，２０，２０の有する機能がそれぞれ空調機１０，１０，１０の制御部１３に搭載されていてもよい。この場合、アダプタ２０，２０，２０は不要になる。
【００９３】
（７）
上記実施形態におけるシステムでは、設備機器として空調機１０，１０，１０を挙げて、スケジュール復帰の説明をしたが、設備機器は、空調機１０，１０，１０の他、照明、空気清浄機、換気扇、換気装置、送風機、扇風機、給湯器、保湿機器、暖房機、冷凍装置、調理機器、ポンプ、電動機、原動機等であってもよい。また、各設備機器に応じて、それぞれ復帰ルールを設定することができる。具体的には、図１０に示すような、各制御項目に関する値を用いて復帰ルールを設定しうる。
【産業上の利用可能性】
【００９４】
本発明は、ユーザにより設定が変更された場合にも、省エネ効果を実現することができる設備機器制御システムとして有用である。
【図面の簡単な説明】
【００９５】
【図１】本発明の一実施形態に係る空調機制御システムの概略構成図である。
【図２】本発明の一実施形態に係る空調機の概略構成図である。
【図３】本発明の一実施形態に係るアダプタの概略構成図である。
【図４】本発明の一実施形態に係る遠隔管理サーバの概略構成図である。
【図５】スケジュール情報に含まれる一のデータを示す図である。
【図６】スケジュール情報に含まれる一のデータを示す図である。
【図７】復帰ルール記憶領域に記憶される復帰ルールを示す図である。
【図８】採用ルール記憶領域に記憶される採用ルールを示す概念図である。
【図９】アダプタにおける制御の流れを示す図である。
【図１０】変形例（７）で説明した設備機器に応じて用いる復帰ルールの制御項目を示す図である。
【符号の説明】
【００９６】
１０，１０，１０  空調機（設備機器）
２０，２０，２０  アダプタ（制御装置）
３０  遠隔管理サーバ(遠隔管理装置)
４０  インターネット
１００  空調機制御システム（設備機器制御システム）
【図１】
2010157942.tif 000003
【図２】
2010157942.tif 000004
【図３】
2010157942.tif 000005
【図４】
2010157942.tif 000006
【図５】
2010157942.tif 000007
【図６】
2010157942.tif 000008
【図７】
2010157942.tif 000009
【図８】
2010157942.tif 000010
【図９】
2010157942.tif 000011
【図１０】
2010157942.tif 000012